(57)【要約】【課題】周波数或いはレベルの急速な変化があっても、確度の良いレベルの信号を出力できる信号発生装置を提供することである。【解決手段】ＣＷ信号出力状態では負帰還ループを構成してレベル可変手段を制御してＣＷ信号を所定レベルに調整して出力させ、変調信号出力の状態では負帰還時にレベル可変手段を制御していた制御値を保持して変調信号を出力させるＡＬＣ部１００と、ＡＬＣ部から出力される信号のレベルをステップで変更して出力する減衰手段１１とを備え、予め変調手段から減衰手段の入力までの周波数応答特性を補正するための第１の補正値及び前記各ステップでの減衰量エラーを補正するための第２の補正値を記憶しておき、変調信号出力時にその周波数に対応した第１の補正値及び第２の補正値を基にベースバンド信号発生部１に対してベースバンド信号の大きさを可変させることにより補正する。【選択図】    図１
2008205812.tif 000002
【特許請求の範囲】
【請求項１】
ベースバンド信号を受けてローカル信号で直交変調した変調信号又はＣＷ信号のいずれかの信号を選択的に、かつ該ベースバンド信号の大きさに応じた大きさの信号として出力する変調手段（３）と、該変調手段からの信号を受けてレベルを変化させて出力するレベル可変手段（５）を有し、前記ＣＷ信号出力の状態では負帰還ループを構成して該レベル可変手段を制御して該ＣＷ信号を所定レベルに調整して出力させ、前記変調信号出力の状態では該負帰還ループをはずして負帰還時に該レベル可変手段を制御していた制御値を保持して該変調信号を出力させるＡＬＣ部（１００）と、該ＡＬＣ部から出力される信号の前記所定レベルをステップで変更して出力する減衰手段（１１）とを備えた信号発生装置において、
予め少なくとも前記変調手段から前記減衰手段の入力までの周波数応答特性を補正するための第１の補正値及び前記減衰手段の前記ステップの各々の減衰量エラーを補正するための第２の補正値を記憶する補正値記憶手段（２）と、前記変調信号出力の状態でその周波数に対応した該第１の補正値及び該第２の補正値を基に前記減衰手段から出力される変調信号の大きさを補正する手段（１ｅ）とを備えたことを特徴とする信号発生装置。
【請求項２】
前記ベースバンド信号の大きさを変更して出力可能なベースバンド信号発生部（１）を備え、前記補正する手段は、前記変調信号出力の状態でその周波数に対応した前記第１の補正値及び前記第２の補正値を基に前記ベースバンド信号の大きさを変化させることにより、前記減衰手段から出力される変調信号の大きさを補正することを特徴とする請求項１に記載の信号発生装置。
【請求項３】
指示を受けて前記減衰手段を所定ステップに、前記ローカル信号を所定周波数に設定し、前記変調手段から前記ＣＷ信号を出力させるとともに前記ＡＬＣ部に前記負帰還ループを形成させ、次に前記制御値を保持させ、前記ＡＬＣ部に対して該負帰還ループをはずさせて前記所定周波数で変調信号を出力させ、その状態で、該所定周波数の変更又は／及び該所定ステップの変更の指示を受けて、前記補正値記憶手段からの該変更した周波数又は／及び該変更したステップに応じた前記第１の補正値又は／及び前記第２の補正値を基に前記補正する手段にベースバンド信号の大きさを変更させるように制御する制御部（１４）を備えたことを特徴とする請求項２に記載の信号発生装置。
【請求項４】
ベースバンド信号の大きさを変更して出力可能なベースバンド信号発生部（１）と、該ベースバンド信号発生部から出力された該ベースバンド信号を受けてローカル信号で直交変調した変調信号又はＣＷ信号のいずれかの信号を選択的に、かつ該ベースバンド信号の大きさに応じた大きさの信号として出力する変調手段（３）と、該変調手段からの信号を受けてレベルを変化させて出力するレベル可変手段（５）及び基準値を出力する基準値発生手段（１２）を有し、前記ＣＷ信号出力の状態では負帰還ループを構成して該レベル可変手段を制御して該ＣＷ信号を前記基準値に対応する所定レベルに調整して出力させ、前記変調信号出力の状態では該負帰還ループをはずして負帰還時に該レベル可変手段を制御していた制御値を保持して該変調信号を出力させるＡＬＣ部（１００）と、該ＡＬＣ部から出力される信号の前記所定レベルをステップで変更して出力する減衰手段（１１）とを備え、前記基準値発生手段は、予め前記減衰手段の前記ステップの各々の減衰量エラーを補正するための第３の補正値を記憶しておき該第３の補正値を含む前記基準値を出力するように構成されている信号発生装置において、
予め前記減衰手段を基準となるステップに設定したときの少なくとも前記変調手段から該減衰手段の入力までの周波数応答特性を補正するための第１の補正値及び前記減衰手段の前記ステップの各々の減衰量エラーを補正するための第２の補正値を記憶する補正値記憶手段（２）を備え、
前記ベースバンド信号発生部は、前記変調信号出力の状態でその周波数に対応した該第１の補正値及び該第２の補正値を前記補正値記憶手段から受けて、受けた該第１の補正値及び該第２の補正値を基に前記ベースバンド信号の大きさを可変させることを特徴とする信号発生装置。
【請求項５】
通常モードとレベル周波数高速切替モードの何れか選択可能にされ、前記通常モードが選択されたときは、指定により少なくとも前記ローカル信号の周波数が変更される度に、前記変調手段からＣＷ信号を出力させ、前記ＡＬＣ部に前記負帰還ループを形成させることにより前記第３の補正値に応じて補正された該ＣＷ信号を前記所定レベルにして出力させ、次に前記制御値を保持させ、該負帰還ループをはずさせて前記変調信号を出力させ、
前記通常モードから前記レベル周波数高速切替モードへモード変更されたときは、該モード変更の直前に該通常モードで該負帰還ループがはずされたときの該制御値を保持した状態で前記変調信号を出力させ、その後、前記周波数の変更又は／及び前記減衰手段のステップの変更の指示を受けて、前記補正値記憶手段から変更した該周波数／及び変更した該減衰手段のステップに応じた第１の補正値又は／及び第２の補正値を基に前記ベースバンド信号発生部に前記ベースバンド信号の大きさを変更させる制御部（１４）を備えたことを特徴とする請求項４に記載の信号発生装置。
【請求項６】
ベースバンド信号の大きさを変更して出力可能なベースバンド信号発生部（１）と、該ベースバンド信号発生部から出力された該ベースバンド信号を受けてローカル信号で直交変調した変調信号又はＣＷ信号のいずれかの信号を選択的に、かつ該ベースバンド信号の大きさに応じた大きさの信号として出力する変調手段（３）と、該変調手段からの信号を受けてレベルを変化させて出力するレベル可変手段（５）、及び基準値を出力する基準値発生手段（１２）を有し、前記ＣＷ信号出力の状態では負帰還ループを構成して該レベル可変手段を制御して該ＣＷ信号を前記基準値に対応する所定レベルに調整して出力させ、前記変調信号出力の状態では該負帰還ループをはずして負帰還時に該レベル可変手段を制御していた制御値を保持して該変調信号を出力させるＡＬＣ部（１００）と、該ＡＬＣ部から出力される信号の前記所定レベルをステップで変更して出力する減衰手段（１１）とを備え、前記基準値発生手段は、予め前記減衰手段の前記ステップの各々の減衰量エラーを補正するための第３の補正値を記憶しておき該第３の補正値を含む前記基準値を出力するように構成されている信号発生装置において、
予め前記減衰手段の前記ステップの各々の減衰量エラーを補正するための第２の補正値を記憶する補正値記憶手段（２）を備え、
前記ベースバンド信号発生部は、前記変調信号出力の状態でその周波数に対応した該第２の補正値を前記補正値記憶手段から受けて、受けた該第２の補正値を基に前記ベースバンド信号の大きさを可変させることを特徴とする信号発生装置。
【請求項７】
通常モードとレベル高速切替モードの何れかに選択設定可能にされ、前記通常モードが選択されたときは、指定により少なくとも前記ローカル信号の周波数が変更される度に、前記変調手段から前記ＣＷ信号を出力させ、前記ＡＬＣ部に前記負帰還ループを形成させることにより前記第３の補正値に応じて補正された該ＣＷ信号を所定レベルにして出力させ、次に前記制御値を保持させ、該負帰還ループをはずさせて、前記変調信号を出力させ、
前記通常モードから前記レベル高速切替モードにモード変更されたときは、該モード変更後に前記周波数の変更がないときは該モード変更の直前の該通常モードのときの、該モード変更後に前記周波数の変更があったときは一旦該通常モードに戻したときの、前記ＡＬＣ部の前記負帰還ループが外れたときの前記制御値を保持した状態で、その後、前記ステップの変更の指示を受けて、前記補正値記憶手段からの前記ステップに応じた第２の補正値を基に前記ベースバンド信号発生部に前記ベースバンド信号の大きさを変更させるように制御する制御部（１４）を備えたことを特徴とする請求項６に記載の信号発生装置。
【発明の詳細な説明】
【技術分野】
【０００１】
本発明は、移動体無線用の変調信号を出力する信号発生装置に係り、特に、変調信号のレベル変更を高速にかつ確度良く行える技術に関する。
【背景技術】
【０００２】
従来、移動体端末を試験する信号発生装置として、特許文献１に示される送信部のような技術があった。一般に、信号発生部は、その出力する信号のレベルを安定化し、確度良くするために、ＡＬＣ（自動レベル制御、或いは自動パワー制御、或いは自動利得制御）を構成している。一方、移動体端末を試験するには、それが利用される通信システムの変調方式に従った変調信号が必要である。その中でクレスト比の高いデジタル変調信号を出力するとき、そのＡＬＣをかけたまま変調信号を出力するとＡＬＣループの時定数に応じたレベル誤差が発生するため、ＣＷ信号で一度、ＡＬＣをかけて、内部の利得としてＡＬＣをかけたときのままの利得を保持しつつＡＬＣのループ動作をはずして、変調信号を出力していた。特許文献１の主なところを図１１に示す。
【０００３】
図１１で、ベースバンド信号発生部１６は、制御部１７からの指示が「変調」の場合は、直交変調用のＩＱベースバンド信号を発生して直交変調手段３に送り、「ＣＷ」の場合は、ＣＷ用の信号（直交変調手段３に対して直流電圧又は単一トーン信号等の、無変調とする信号）を直交変調手段３に送る。直交変調手段３は、制御部１７から設定された所望の周波数のローカル信号を局部発振器４から受け取り、ベースバンド信号発生部１６の出力信号に従って、ローカル信号をＩＱベースバンド信号で変調した直交変調信号又は変調されないＣＷ信号（以下、それらのいずれか双方を代表するときは、「信号」と言う。）の各信号を出力する。
【０００４】
ＡＬＣ部１００では、レベル可変手段５、増幅手段６を経由した図１１のＸ点における信号の大きさ（以下。「レベル」と言う。）をレベル検出手段７で検出し、検出した結果をＤＣの電圧として出力する。比較手段８は、レベル検出手段７からの電圧の値と基準値発生手段１２からの電圧の値とを比較し、その差を増幅して位相反転して出力する。スイッチ１０は、信号が「ＣＷ」時は、端子「ＡＬＣ」側に接続され、比較手段８からの出力がレベル可変手段５に負帰還される。このようにしてＡＬＣのループが構成されるので、このＡＬＣのループ利得が十分であれば、ほぼ出力Ｘ点における信号のレベルは、基準値発生部１２から出力される電圧の値で決定され、安定にされる。次に信号が「変調信号」に切り替わったときにスイッチ１０が端子「ＨＯＬＤ」側に接続され、その切り替えの直前に保持手段９が保持した「ＣＷ」時の比較手段８の出力がレベル可変手段５に送られる。したがって、この信号が「変調信号」のときは、「ＣＷ」のときと同じレベルの変調信号が出力される。つまり、ＡＬＣのループが外れても、基準値発生部１２から出力される電圧の値で決定されたレベルになる。そして、出力Ｘ点の信号は、可変ＡＴＴ１１（ステップ可変形の減衰器）で所望の値に減衰されて出力される。
【０００５】
一般に、移動体端末を試験する信号の周波数は広い帯域に亘り、試験に必要なレベル範囲も広い範囲に亘る。そのとき、直交変調手段３から可変ＡＴＴ１１までの各要素にはレベル的なエラー要素として、それぞれには周波数に対するレベル変化（周波数応答特性、周波数特性等と言われる。以下では、簡単のため「ｆ特」という。）があり、また可変ＡＴＴ１１の各ステップ（例えば、減衰ステップ０，１０，２０・・・ｄＢ等）には理想的な素子が得られないことによるステップエラー（例えば、＋０．２ｄＢ、−０．１ｄＢ、−０．２ｄＢ等）がある。
【０００６】
図１１で、変調信号を出力時に上記のｆ特の影響を防止するには、その周波数を変更設定する度に、図１１の構成で信号を「ＣＷ」にしスイッチ１０で「ＡＬＣ」（つまりＡＬＣをオン）に切り替えてＡＬＣを動作させ、スイッチ１０を「ＨＯＬＤ」（つまりＡＬＣをオフ）にし、それから信号を「変調信号」にする。つまり、このような構成・動作により「変調信号」を出力時は、レベル可変手段５を制御する信号として、その変更設定された周波数に応じた制御信号が保持手段９から得られるから、ＡＬＣによってｆ特補正が行われる。一方、ステップエラーを無くすために、予め可変ＡＴＴ１１の各ステップエラーを調べて、それを補正するための補正値を記憶しておき、基準値発生部１２が出力する電圧の値をその補正値で補正して出力させる。そして、やはり、図１１の構成で信号を「ＣＷ」にしスイッチ１０で「ＡＬＣ」に切り替えてＡＬＣを動作させ、それから信号を「変調信号」にし、スイッチ１０を「ＨＯＬＤ」にする。そうすると、ＡＬＣ動作により、出力Ｘ点のレベルを可変ＡＴＴ１１で生じるエラー分だけそのエラー方向と逆の方向に補正される。したがって、可変ＡＴＴ１１から出力される信号はステップエラーの少ないレベルに設定される。
【０００７】
【特許文献１】特開２００３−４３０８４号公報
【発明の開示】
【発明が解決しようとする課題】
【０００８】
しかしながら、上記図１１の従来技術では、信号の周波数の変化、又はレベルの切り替えのいずれかをする度に、ＡＬＣのオン、オフ動作を行うので、そのＡＬＣのオン、オフの応答時間だけ、周波数の切り替え、又はレベルの切り替えの切り替え時間がかかり、早い切替ができない。
【０００９】
例えば、移動体端末の試験にＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度指示）なる試験がある。それを模式的に表したのが図１０（Ａ）である。図１０（Ａ）において、信号発生装置２００が、移動体端末３００に対して、図１０（Ｂ）に示すようにＧＳＭ信号やＣＤＭＡ信号（いずれもそれぞれの変調方式の変調信号：ＲＦ信号）のレベルをＰｍｉｎ〜ーＰｍａｘの範囲に亘って変化させて受信させる。移動体端末３００は、受信レベルを基地局４００（或いは試験のための疑似試験局）に対して受信レベルを知らせる。基地局４００はそのレベルに応じたレベルにパワーコントロールした電波を送り受信させる。このような試験を行うにあたって、周波数を変える度に、又は／及び、急速なレベル変化をさせる度に、ＡＬＣをオン、オフしていたのでは、時間がかかり過ぎるとともに、急速なレベル変化に対応して確度のよいレベル変化をさせることができない。
【００１０】
本発明の目的は、周波数或いはレベルの急速な変化があっても、確度の良いレベルの信号を出力できる信号発生装置を提供することである。
【課題を解決するための手段】
【００１１】
具体的な構成として、請求項１に記載の発明は、ベースバンド信号を受けてローカル信号で直交変調した変調信号又はＣＷ信号のいずれかの信号を選択的に、かつ該ベースバンド信号の大きさに応じた大きさの信号として出力する変調手段（３）と、該変調手段からの信号を受けてレベルを変化させて出力するレベル可変手段（５）を有し、前記ＣＷ信号出力の状態では負帰還ループを構成して該レベル可変手段を制御して該ＣＷ信号を所定レベルに調整して出力させ、前記変調信号出力の状態では該負帰還ループをはずして負帰還時に該レベル可変手段を制御していた制御値を保持して該変調信号を出力させるＡＬＣ部（１００）と、該ＡＬＣ部から出力される信号の前記所定レベルをステップで変更して出力する減衰手段（１１）とを備えた信号発生装置において、
予め少なくとも前記変調手段から前記減衰手段の入力までの周波数応答特性を補正するための第１の補正値及び前記減衰手段の前記ステップの各々の減衰量エラーを補正するための第２の補正値を記憶する補正値記憶手段（２）と、前記変調信号出力の状態でその周波数に対応した該第１の補正値及び該第２の補正値を基に前記減衰手段から出力される変調信号の大きさを補正する手段（１ｅ）とを備えた。
請求項２に記載の発明は、請求項１に記載の発明において、前記ベースバンド信号の大きさを変更して出力可能なベースバンド信号発生部（１）を備え、前記補正する手段は、前記変調信号出力の状態でその周波数に対応した前記第１の補正値及び前記第２の補正値を基に前記ベースバンド信号の大きさを変化させることにより、前記減衰手段から出力される変調信号の大きさを補正する構成とした。
請求項３に記載の発明は、請求項２に記載の発明において、指示を受けて前記減衰手段を所定ステップに、前記ローカル信号を所定周波数に設定し、前記変調手段から前記ＣＷ信号を出力させるとともに前記ＡＬＣ部に前記負帰還ループを形成させ、次に前記制御値を保持させ、前記ＡＬＣ部に対して該負帰還ループをはずさせて前記所定周波数で変調信号を出力させ、その状態で、該所定周波数の変更又は／及び該所定ステップの変更の指示を受けて、前記補正値記憶手段からの該変更した周波数又は／及び該変更したステップに応じた前記第１の補正値又は／及び前記第２の補正値を基に前記補正する手段にベースバンド信号の大きさを変更させるように制御する制御部（１４）を備えた。
【００１２】
請求項４に記載の発明は、ベースバンド信号の大きさを変更して出力可能なベースバンド信号発生部（１）と、該ベースバンド信号発生部から出力された該ベースバンド信号を受けてローカル信号で直交変調した変調信号又はＣＷ信号のいずれかの信号を選択的に、かつ該ベースバンド信号の大きさに応じた大きさの信号として出力する変調手段（３）と、該変調手段からの信号を受けてレベルを変化させて出力するレベル可変手段（５）及び基準値を出力する基準値発生手段（１２）を有し、前記ＣＷ信号出力の状態では負帰還ループを構成して該レベル可変手段を制御して該ＣＷ信号を前記基準値に対応する所定レベルに調整して出力させ、前記変調信号出力の状態では該負帰還ループをはずして負帰還時に該レベル可変手段を制御していた制御値を保持して該変調信号を出力させるＡＬＣ部（１００）と、該ＡＬＣ部から出力される信号の前記所定レベルをステップで変更して出力する減衰手段（１１）とを備え、前記基準値発生手段は、予め前記減衰手段の前記ステップの各々の減衰量エラーを補正するための第３の補正値を記憶しておき該第３の補正値を含む前記基準値を出力するように構成されている信号発生装置において、
予め前記減衰手段を基準となるステップに設定したときの少なくとも前記変調手段から該減衰手段の入力までの周波数応答特性を補正するための第１の補正値及び前記減衰手段の前記ステップの各々の減衰量エラーを補正するための第２の補正値を記憶する補正値記憶手段（２）を備え、
前記ベースバンド信号発生部は、前記変調信号出力の状態でその周波数に対応した該第１の補正値及び該第２の補正値を前記補正値記憶手段から受けて、受けた該第１の補正値及び該第２の補正値を基に前記ベースバンド信号の大きさを可変させる構成とした。
【００１３】
請求項５に記載の発明は、請求項４に記載の発明において、通常モードとレベル周波数高速切替モードの何れか選択可能にされ、前記通常モードが選択されたときは、指定により少なくとも前記ローカル信号の周波数が変更される度に、前記変調手段からＣＷ信号を出力させ、前記ＡＬＣ部に前記負帰還ループを形成させることにより前記第３の補正値に応じて補正された該ＣＷ信号を前記所定レベルにして出力させ、次に前記制御値を保持させ、該負帰還ループをはずさせて前記変調信号を出力させ、
前記通常モードから前記レベル周波数高速切替モードへモード変更されたときは、該モード変更の直前に該通常モードで該負帰還ループがはずされたときの該制御値を保持した状態で前記変調信号を出力させ、その後、前記周波数の変更又は／及び前記減衰手段のステップの変更の指示を受けて、前記補正値記憶手段から変更した該周波数／及び変更した該減衰手段のステップに応じた第１の補正値又は／及び第２の補正値を基に前記ベースバンド信号発生部に前記ベースバンド信号の大きさを変更させる制御部（１４）を備えた。
【００１４】
請求項６に記載の発明は、ベースバンド信号の大きさを変更して出力可能なベースバンド信号発生部（１）と、該ベースバンド信号発生部から出力された該ベースバンド信号を受けてローカル信号で直交変調した変調信号又はＣＷ信号のいずれかの信号を選択的に、かつ該ベースバンド信号の大きさに応じた大きさの信号として出力する変調手段（３）と、該変調手段からの信号を受けてレベルを変化させて出力するレベル可変手段（５）、及び基準値を出力する基準値発生手段（１２）を有し、前記ＣＷ信号出力の状態では負帰還ループを構成して該レベル可変手段を制御して該ＣＷ信号を前記基準値に対応する所定レベルに調整して出力させ、前記変調信号出力の状態では該負帰還ループをはずして負帰還時に該レベル可変手段を制御していた制御値を保持して該変調信号を出力させるＡＬＣ部（１００）と、該ＡＬＣ部から出力される信号の前記所定レベルをステップで変更して出力する減衰手段（１１）とを備え、前記基準値発生手段は、予め前記減衰手段の前記ステップの各々の減衰量エラーを補正するための第３の補正値を記憶しておき該第３の補正値を含む前記基準値を出力するように構成されている信号発生装置において、
予め前記減衰手段の前記ステップの各々の減衰量エラーを補正するための第２の補正値を記憶する補正値記憶手段（２）を備え、
前記ベースバンド信号発生部は、前記変調信号出力の状態でその周波数に対応した該第２の補正値を前記補正値記憶手段から受けて、受けた該第２の補正値を基に前記ベースバンド信号の大きさを可変させる構成とした。
【００１５】
請求項７に記載の発明は、請求項６に記載の発明において、通常モードとレベル高速切替モードの何れかに選択設定可能にされ、前記通常モードが選択されたときは、指定により少なくとも前記ローカル信号の周波数が変更される度に、前記変調手段から前記ＣＷ信号を出力させ、前記ＡＬＣ部に前記負帰還ループを形成させることにより前記第３の補正値に応じて補正された該ＣＷ信号を所定レベルにして出力させ、次に前記制御値を保持させ、該負帰還ループをはずさせて、前記変調信号を出力させ、
前記通常モードから前記レベル高速切替モードにモード変更されたときは、該モード変更後に前記周波数の変更がないときは該モード変更の直前の該通常モードのときの、該モード変更後に前記周波数の変更があったときは一旦該通常モードに戻したときの、前記ＡＬＣ部の前記負帰還ループが外れたときの前記制御値を保持した状態で、その後、前記ステップの変更の指示を受けて、前記補正値記憶手段からの前記ステップに応じた第２の補正値を基に前記ベースバンド信号発生部に前記ベースバンド信号の大きさを変更させるように制御する制御部（１４）を備えた。
【発明の効果】
【００１６】
請求項１、２、３に記載の発明によれば、ある周波数（基準周波数）、減衰量のあるステップ（基準ステップ）でＣＷ信号出力時の大きさがＡＬＣ部で所定レベルに設定され、変調信号出力時にＡＬＣ部の負帰還ループ動作がオフでそのレベルが所定レベルに保持された状態が維持され（以下、「ＡＬＣオフ」、又は「ＨＯＬＤ（ホールド）と言うことがある。反対に、負帰還ループ動作状態を「ＡＬＣオン」と言うことがある。）、その周波数、減衰量ステップが変更された場合は、補正値記憶手段の第１の補正値、第２の補正値により、周波数応答特性（ｆ特補正）、減衰ステップによる減衰量エラー（ステップエラー）補正がされるので、ＡＬＣ部の応答時間の影響を受けることなく、且つ確度の良い、急速なレベル変更や周波数変更が可能になる。
【００１７】
請求項３、４、５に記載の発明によれば、急速にレベル変更や周波数変更を行わない、応答の遅い通常のモードと、急速にレベル変更や周波数変更を行いたいレベル周波数高速切替モードのいずれでも、確度の良い変調信号を得ることができる。
つまり、通常モードで周波数が変更されるたびにＡＬＣオンしてｆ特性を軽減し、かつ第３の補正値によりステップエラーが補正され、その状態を維持して（ＡＬＣオフ）変調信号を出力できるので、確度の良い変調信号が出力される。レベル周波数高速切替モードにモード変更されたときは、モード変更直前の変調信号の周波数、レベルを保持した状態（ＡＬＣオフ）を基準として、周波数、レベルが変更された場合は、第１の補正値、第２の補正値を基にベースバンド信号発生部で補正されるので、確度の良い変調信号が得られる。
【００１８】
請求項６、７に記載の発明によれば、急速にレベル変更や周波数変更をやらない、応答の遅い通常のモードと、急速にレベル変更を行いたいレベル高速切替モードのいずれでも、確度の良い変調信号を得ることができる。ただし、この場合のレベル高速切替モードでは、周波数変更した場合は通常モードと同じ応答時間が必要になる。
つまり、通常モードでは、請求項３，４の発明と同じように、周波数が変更される度にＡＬＣ部が動作してｆ特性を軽減し、かつ第３の補正値によりステップエラーが補正されるので、確度の良い変調信号を出力できる。レベル高速切替モードでは、周波数が変更されないでレベルだけが変更された場合は、モード変更直前の変調信号のレベルを保持した状態（ＡＬＣオフ）を基準として、第２の補正値を基にベースバンド信号発生部で補正されるので確度の良い変調信号が得られる。レベル高速切替モード後に周波数が変更された場合は、一旦通常モードでＡＬＣ部により負帰還動作が行われて（ＡＬＣオン）ｆ特が軽減される。そして、その後にレベルが変更された場合は、ＡＬＣオフにされた状態で変調信号のレベルをＡＬＣオン時のまま保持した状態を基準として、第２の補正値を基にベースバンド信号発生部で補正されるので、確度の良い変調信号が出力される。ただし、周波数変更があったときは、通常モードへ一旦戻り（ＡＬＣがオンオフされるので、その分、応答時間が必要になるが、ｆ特補正相当の動作はＡＬＣ部の負帰還ループで行われるので、請求項３，４の発明に比べ、第１の補正値は不要になる。
【発明を実施するための最良の形態】
【００１９】
本発明に係る実施形態を次の３通りの態様でその順に説明する。
（１）第１の実施形態（関係図：図１，図２，図３（Ａ）、図４、図５、図７）
最初にＡＬＣを動作させ、その後ＡＬＣをオフにして、急速にレベル、周波数を切り替える態様
（２）第２の実施形態（関係図：図１，図２，図３（Ａ）、図４、図５、図６，図８）
周波数、レベルを変更する都度，ＡＬＣをオンさせる通常モードと、その後に，ＡＬＣをオフにして急速にレベル、周波数を切り替えるレベル周波数高速切替モードで動作する態様
（３）第３の実施形態（関係図：図１，図２，図３（Ｂ）、図５、図６、図９）
周波数、レベルを変更する都度，ＡＬＣをオンさせる通常モードと、その後に，周波数を変更しないでレベルを切り替える場合にＡＬＣをオフにして急速にレベルを切り替え、周波数変更する場合は一旦通常モードへ戻るレベル高速切替モード（上記の「レベル周波数高速切替モード」と区別して表現している。）で動作する態様
【００２０】
本発明の実施形態を、図を基に説明する。図１は本発明の実施形態の機能構成を示す図である。図２は、図１のベースバンド信号発生部の機能構成を示す図である。図１及び図２は、後記する第１の実施形態、第２の実施形態、及び第３の実施形態に対応する。図３は、ＡＬＣの動作タイミングを示す図であり、図３（Ａ）は、第１の実施形態のタイミング、及び第２の実施形態の主にレベル周波数高速切替モードにおけるタイミングを示す図である。図３（Ｂ）は、第３実施形態で主にレベル高速切替モードのタイミングを示す図である。図４は、補正値記憶手段が記憶する周波数応答特性（ｆ特）を補正する第１の補正値、図５は、補正値記憶手段が記憶する減衰量エラー（ステップエラー）を補正する第２の補正値、図６は、基準値発生部が記憶する減衰量エラー（ステップエラー）を補正する第２の補正値である。図７は、第１の実施形態の動作フローを説明するための図であり、図８は、第２の実施形態の動作フローを説明するための図であり、図９は、第３の実施形態の動作フローを説明するための図である。
【００２１】
なお、図１において、図１１と同一符号を付した構成は、同一機能を有する。以下の説明では、図１１との相違点を主に構成・動作を説明する。
【００２２】
［１：第１の実施形態］  関係図：図１，図２，図３（Ａ）、図４、図５、図７
図１のベースバンド信号発生部１の具体的な機能構成を図２に示す。図２において、波形データメモリ１ａは、直交変調手段３に対して、ローカル信号に対して変調させるためのＩＱベースバンド信号（Ｉベースバンド信号及びＱベースバンド信号）の変調用波形データと、ＣＷ信号を出力させるためのＣＷ用波形データ（以下、変調用波形データと併せて「波形データ」と言うことがある。）とを予め記憶しておく。そして、波形データメモリ１ａは、制御部１４からの制御により、波形データ出力指示として、ＣＷ信号を出力させるか、変調信号を出力させるかの「ＣＷ・変調指示」を受けて、受ける度にＣＷ用波形データもしくは変調用波形データを出力する。
【００２３】
乗算率が変更可能な２つの乗算器１ｂ、デジタルアナログ変換を行う２つの変換器Ｄ／Ａ１ｃ及び２つのローパスフィルタＬＰＦ１ｄのそれぞれは、対のそれぞれは同じものであって、Ｉベースバンド信号、Ｑベースバンド信号のそれぞれに対応して２ルート設けられている。乗算器１ｂは、レベル制御部１ｅからの指示で補正手段２からの補正データに応じた乗算率で、波形データメモリ１ａからの波形データの大きさを補正（変更）して出力する。そして、変更された波形データは、各Ｄ／Ａ１ｃ及び各ＬＰＦ１ｄによりアナログの変調用信号に変換され、不要な周波数成分を除去されて直交変調手段３へ大きさ（レベル）が補正された各ベースバンド信号として送られる。直交変調手段３は、ローカル信号をＬＰＦ１ｄから受けた補正された各ベースバンド信号で変調して、その各ベースバンド信号の大きさに応じた大きさの変調信号を出力する。また、直交変調手段３がＣＷ信号を出力するときは、波形データメモリ１ａから出力された波形データがＤＣ電圧として入力される。周波数は局部発振器４から出力されるローカル信号の周波数できまり、それは制御部１４から指示される。
【００２４】
補正値記憶手段２は、周波数応答特性の補正値として図４に示される形式のｆ特補正値（例えば、比率）と、可変ＡＴＴ１１の減衰量エラーの補正値（例えば、比率）として図５の形式で示されるステップエラー値を記憶している。図４は、レベル可変範囲が「０ｄＢ」、周波数１００ＭＨｚを基準とした補正値（図４の太線の枠内）を有している。なお、この補正値は、ＡＬＣがかかっていないときの、少なくとも直交変調手段３から可変ＡＴＴ１１の入力点（Ｘ点）までの周波数応答特性をうち消すための値である。レベル可変範囲「１〜５ｄＢ」「―１〜―５ｄＢ」における補正値は、可変ＡＴＴ１１が５ｄＢステップなので、その間のレベル設定と補正を兼ねる場合に用いられるものであり、予め入力される値である。図５は、ステップが「０ｄＢ」、周波数１００ＭＨｚを基準としたときの、各ステップ、各周波数における補正値を有している（これらも、例えば、率を単位としている例である）。
【００２５】
なお、図４，図５は、図１の可変ＡＴＴ１１の入力点（Ｘ点）の前後で、ＡＬＣ部１００側のｆ特補正と、可変ＡＴＴ１１側のステップエラーの補正とに分けている。ステップエラー値には、図５のステップ０ｄＢでも分かるように可変ＡＴＴ１１のｆ特も含まれている。このように必ずしもＸ点で分けないで、補正値を取得する他の方法もある。例えば、可変ＡＴＴ１１を０ｄＢと設定しておいて、この可変ＡＴＴ１１の出力側で測定したときのｆ特を補正する補正値を図４における第１の補正値として記憶しておき（つまり、可変ＡＴＴ１１の０ｄＢにおけるｆ特はＡＬＣ部１００側のｆ特と一緒になる。）、ステップエラーの第２の補正値（第３の補正値）は、図５（図６）の可変ＡＴＴ１１の０ｄＢを全ての周波数で補正値を「１」（図６では「２」；つまり、補正無し）とし、その他のステップでは、各周波数において可変ＡＴＴ１１の０ｄＢを基準としたときのステップエラーを補正値として求める（例えば、周波数ｆｎ、ステップ０ｄＢで「１」を基準として測定し、結果としてステップ５ｄＢの補正値「１．１」を得る）。本発明の特許請求の範囲では、可変ＡＴＴ１１の入力点で各特性を分けて表記しているが、ＡＬＣ部１００側のｆ特、及び可変ＡＴＴ１１側のｆ特を含むステップエラーを補正している。上記他の方法でも、実効的に同じ補正が成される。したがって、補正値の採り方はいずれの方法であっても、本発明の範疇である。
【００２６】
レベル制御部１ｅは、予め基準データ高さ値（比率）として例えば「１」を有しスイッチ１０が「ＡＬＣ」側に設定されているときは、つまりＡＬＣオンのときは、その基準データ高さ値「１」を両乗算器１ｂへ指示する。この場合は、比率「１」であるから、乗算器１ｂの前後でレベルは変化しない。スイッチ１０が「ＨＯＬＤ」側に設定されているときは、つまりＡＬＣオフのときは、レベル制御手段１ｅは、制御部１４からレベル・周波数変更情報を受けて、その周波数（直交変調手段３から出力される変調信号の周波数）に応じたｆ特補正値（例「１．１」）を図４から、可変ＡＴＴ１１が設定されるステップ（減衰量）におけるステップエラー補正値（例「１．２」）を図５から読み出して、「基準データ高さ値×ｆ特補正値×ステップエラー補正値」（例：１×１．１×１．２）の値を求めて、その値によって乗算器１ｂの乗算率を変更して、結果として、直交変調手段３から出力される変調信号の大きさを補正して（変更）出力させる。
【００２７】
基準値発生部１２は、ＡＬＣオンのときにレベル検出手段７が検出するＣＷ信号の大きさ（可変ＡＴＴ１１の入力のＣＷ信号の大きさ）を設定するための電圧の値（以下「電圧値」と言う。）を出力する。第１の実施形態では、図４及び図５の各補正値が基準としているステップ、周波数と同じ周波数を基準として、可変ＡＴＴの出力が所定レベル（基準レベル）になる電圧値（基準電圧値、例えば２Ｖ）を出力する。例えば、可変ＡＴＴ１１が０ｄＢ（一般には、パネル部１５ではそのときの可変ＡＴＴ１１からの出力レベル（絶対値レベル）で表示されることが多い。例えば、可変ＡＴＴ１１が０ｄＢのときの絶対値レベル０ｄＢｍ）、周波数が１００ＭＨｚを基準として、そのときのＣＷ信号の可変ＡＴＴの出力が０ｄＢｍになる基準電圧値（例：２Ｖ）を予め求めて記憶しておいて、ＡＬＣオンのときに比較器８へ出力する。
【００２８】
制御部１４は、図３（Ａ）の（２）（３）（１）に示すようにＣＷ・変調指示として、「ＣＷ」を指示したときは、スイッチ１０を「ＡＬＣ」にしてＡＬＣをオンにさせ、スイッチ１３ａ、１３ｂを「通常」にさせる。ただし、この第１の実施形態では、基準値発生部１２は、レベル・周波数の変更情報に拘わらず上記した「基準電圧値」を出力し、可変ＡＴＴ１１に対しては、上記の所定レベル（基準レベル）にステップを設定させる。
【００２９】
つまり、制御部１４は、「ＣＷ」のときにＡＬＣをオンにして基準レベル、基準周波数で出力レベルを校正しておいて、「変調」に切り替えられたときのその直前にレベル可変手段５を制御した値を保持手段９が保持してレベル可手段５の利得を維持した状態で、ＡＬＣをオフにし、変調信号を出力させる。そして、図３（Ａ）の（１）（５）のように周波数、可変ＡＴＴ１１のステップが変更されたときは、補正手段２から変更された所望の周波数、所望のステップに対応した補正値をレベル制御部１ｅが読み出して乗算器１ｂに補正（変更）させることにより、確度の良い変調信号を出力させる。つまり、「ＣＷ」時に、基準周波数、基準レベルで校正された出力レベルを、「変調」のときＡＬＣをオフにして保持する。そして、周波数、ステップを変更されたときは、図４，図５の補正値で補正する。したがって、レベル、周波数の変更がＡＬＣの応答時間の影響を受けることなく、高速に行え、かつ確度のよいレベルが得られる。
【００３０】
図７を基に一連の動作を説明する。
ステップＳ１、Ｓ２：電源オンすると、制御部１４は、予め決められていた基準の可変ＡＴＴ１１のステップＬｋ（基準のレベルＬｋ、例えばＬｋ＝０ｄＢ）、局部発振器４の周波数を基準の周波数（例：ｆｋ＝１００ＭＨｚ）に設定（自動でも、ユーザによるパネル部１５からの設定で行っても良い。）。制御部１４は、ベースバンド信号発生部１に対してＣＷ波形データの出力を指示し、スイッチ１０に対してＡＬＣをオンにさせ、スイッチ１３ａ、１３ｂを「通常」にする。
ステップＳ３：ＣＷ信号が出力され、基準値発生部１２は、基準の可変ＡＴＴ１１のステップ（例、レベルＬｋ＝０ｄＢ）、基準の周波数（例：ｆｋ＝１００ＭＨｚ）における基準電圧値を出力して、ＡＬＣオンして可変ＡＴＴ１１の出力レベルを所定値（可変ＡＴＴ１１と同一表示のレベル０ｄＢｍ）にさせる。
【００３１】
ステップＳ４：制御部１４は、ベースバンド信号発生部１に対して変調波形データの出力を指示し、スイッチ１０に対してＨＯＬＤにしてＡＬＣをオフにさせ、保持手段９が直前のＡＬＣオン時のレベル可変手段５を制御していた値をそのまま維持する。そして、スイッチ１３ａ、１３ｂを「高速」にする。
ステップＳ５：ユーザがパネル部１５から、周波数ｆｓ、レベルＬｓ（ステップＬｓ）もしくはそれらの双方を変更する。
ステップＳ６：変更された周波数の変調信号が出力され、その変更された周波数ｆｓ、ステップＬｓにおける補正値を補正値記憶手段２から読み出して、ベースバンド信号発生部１でベースバンド波形信号の大ききを補正する。したがって、ＡＬＣオフで高速に切り替えられ、かつ補正され確度のよいレベルの変調信号を出力する。
ステップＳ７、８：新たに周波数、レベルの変更があれば、ステップＳ４へ戻り、変更がなければ終了する。
【００３２】
［２：第２の実施形態］  関係図：図１、図２、図３（Ａ）、図４、図５、図６、図８
図１は、第１の実施形態と共有するが、第１の実施形態が初期にＡＬＣをオンし、その後にＡＬＣをオフにして、周波数ｆｓ、レベル（ステップ）Ｌｓを変更する態様であったが、第２の実施形態は、周波数ｆｋ、レベルＬｋを変更する都度，ＡＬＣをオンさせる［通常モード］と、その後に，ＡＬＣをオフ、変調信号を出力させて、急速にレベルＬｓ、周波数Ｆｓを切り替える［レベル周波数高速切替モード］で動作する態様である。これらの各モードの設定、変更は、パネル部１５でユーザの指示により行われる。
【００３３】
第２の実施形態でＡＬＣをオンしてからレベル周波数高速切替モードで動作する部分（図８のステップＳ１６、Ｓ１７）は、ほぼ第１の実施形態（図７のステップＳ５，Ｓ６）と同じ態様である。第２の実施形態では、通常モードで、周波数、レベルを変更可能にされている点で、第１の実施形態と異なる。したがって、図でその違いを説明すると、第２の実施形態では、図８に示すように通常モード（ステップＳ１２〜Ｓ１５）と、レベル周波数高速切替モード（ステップＳ１６〜Ｓ１８）に分かれている。そして、図８のステップＳ１２，Ｓ１３（通常モード）において、ユーザが設定変更する周波数ｆｋ、レベルＬｋでＡＬＣがオンされる点である。
【００３４】
そのため、構成上の第１の実施形態との違いは、基準値発生部１２がＡＬＣオン時にステップエラーを補正するために、図６に示すようなステップエラー補正値（第３の補正値）を有し、ＡＬＣがオンされているときに、その時のステップＬｋ・周波数ｆｋの変更情報を受けて、変更されたステップＬｋ・周波数ｆｓにおけるステップエラー補正値を図６から読み出して変更した電圧値を比較手段８に送り、補正された大きさをもつＣＷ信号を出力させることである。動作のタイミングは、第１の実施形態と同様、図３（Ａ）に表されている。
【００３５】
図６に示すステップエラー補正値（第３の補正値）は、レベル制御手段１ｅが補正動作は行わないで予め記憶しておいた基準データ高さ値（比率）（例えば「１」）を設定された状態で、実際に各周波数、各ステップでＡＬＣをオンにして予め経験的に求められてテーブルとして記憶された値である。つまり、ＡＬＣオン時に例えば、可変ＡＴＴ１１が０ｄＢのときの絶対値レベル０ｄＢｍ、周波数が１００ＭＨｚであるときを基準として、そのときのＣＷ信号の可変ＡＴＴの出力が０ｄＢｍになる基準電圧値（例えば、２Ｖ）を求めて、次に周波数ｆｋでステップＬｋを変更したときの補正値であって、可変ＡＴＴ１１の基準の値である周波数１００ＭＨｚにおける０ｄＢに対するエラー補正分に相当する電圧値：例えば、＋０．１Ｖ）を基準値発生部１２に記憶したものである。
【００３６】
そして、基準値発生部１２は、ＡＬＣオンの動作中に周波数ｆｋ、ステップＬｋが設定されていると、補正された電圧値＝［基準電圧値＋補正分に相当する電圧値］（例えば、２．１Ｖ）を比較手段８へ送る。なお、ステップエラー補正値（第３の補正値）としては、この「補正された電圧値」を記憶して置いても良いし（図６は、この形態で記憶されている例である。）、［基準電圧値］と［補正分に相当する電圧値］とを個別に記憶しておいても良い。
【００３７】
第２の実施形態の動作フローを図８を用いて説明する。なお、レベル周波数高速切替モード時の動作タイミングは図３（Ａ）の高速動作と同じタイミングになる。
ステップＳ１１、Ｓ１２：電源オンし、パネル部１５では、電源オン時は、通常モードに設定されている。ユーザによってパネル部１５から設定されたレベルＬｋ（可変ＡＴＴ１１のステップＬｋ）、所望の周波数ｆｋ（局部発振器４のローカル信号の周波数）を設定される（電源をオンした最初は、レベル、周波数は初期値のものが自動で設定される）。制御部１４は、ベースバンド信号発生部１に対してＣＷ波形データの出力を指示し、スイッチ１０に対してＡＬＣをオンにさせ、スイッチ１３ａ、１３ｂを「通常」にする。
【００３８】
ステップＳ１３：ＣＷ信号が出力され、基準値発生部１２は、図６に示す第３の補正値を参照して、可変ＡＴＴ１１のステップＬｋ、周波数ｆｋに対応する補正された電圧値を出力して比較手段８へ送る。ＡＬＣは、可変ＡＴＴ１１の入力点（Ｘ点）のレベルをステップＬｋのエラー分だけかさ上げ（或いは下げ）レベルにする。そして、可変ＡＴＴ１１を通過した出力レベルがステップエラーを補正された確度の良いレベルＬｋを出力する。
ステップＳ１４：制御部１４は、ベースバンド信号発生部１に対して変調波形データの出力を指示し、スイッチ１０をＨＯＬＤにさせてしてＡＬＣをオフにさせ、保持手段９が直前のＡＬＣオン時のレベル可変手段５を制御していた値をそのまま維持する。
このとき、レベル制御部１ｅは、補正動作は行わないで、予め記憶しておいた基準データ高さの値（比率）（例えば「１」）を設定している。
【００３９】
ステップＳ１５：ユーザが通常モードを維持するのであれば、ステップＳ１２に戻り、再びステップＳ１２で設定された周波数、レベルについて、ステップＳ１２，Ｓ１３，Ｓ１４を繰り返す。ユーザによりレベル周波数高速切替モードに切り替えられた場合は、ステップＳ１６に進む。
ステップＳ１６：レベル周波数高速切替モードの設定により、制御部１４は、スイッチ１３ａ、１３ｂを「高速」にする。そして、ユーザがパネル部１５から、周波数ｆｓ、レベルＬｓ（ステップＬｓ）もしくはそれらの双方を変更する（変更しない場合は、通常モード時の周波数、ステップが維持される。）。
【００４０】
ステップＳ１７：ＡＬＣがＨＯＬＤされた状態で、設定された周波数ｆｓの変調信号が出力され、その周波数ｆｓ、ステップＬｓにおける補正値を補正値記憶手段２から読み出して、ベースバンド信号発生部１で変調波形データの大ききを補正する。このとき、補正値としては、図４に示されるｆ特補正値（第１の補正値）及び図５に示されるステップエラー補正値（第２の補正値）が用いられる。このとき、ＡＬＣはオフなので、基準値発生部１２からの電圧値は何ら利用されない。補正値記憶手段２にしたがって、ＡＬＣオフで高速に切り替えられ、かつ補正され確度のよいレベルの変調信号を出力することができる。
【００４１】
ただし、条件によっては、ベースバンド信号発生部１の制御部１４からのレベル・周波数情報によりレベル制御部１ｅは次のように動作する。
（ａ）レベル周波数高速切替モードでもステップＳ１６で周波数、ステップが変更されないで、通常モード時と同じ周波数、レベルであれば、そのまま、補正動作をしない。
（ｂ）レベル周波数高速切替モードでもステップＳ１６で周波数ｆｓ、ステップＬｓが変更され、通常モード時と周波数ｆｋ、ステップＬｋが異なる場合は、図４により周波数ｆｋにおけるｆ特補正値に対する周波数ｆｓにおけるｆ特補正値との差、及び図５により周波数ｆｋ、ステップＬｋにおけるステップエラー補正値に対する周波数ｆｓ、ステップＬｓにおけるステップエラー補正値との差、を求めて補正値とする。というのは、レベル周波数高速切替モードでは、  ＡＬＣがオフにされるが、周波数ｆｋ、ステップＬｋの条件でＡＬＣ動作しているときのレベル可変手段５を制御していた値を保持しているので、それらを基準として補正する必要があるからである。なお、周波数ｆｋ、ステップＬｋが図４，図５を作成したときの基準の周波数、ステップ（例えば、１００ＭＨｚ、０ｄＢ）であれば、図４、図５をそのまま（差を求めなくとも）使用できる。
（ｃ）なお、制御部１４は、レベル周波数高速切替モードが設定されたときは、必ず基準の周波数、ステップ（例えば、１００ＭＨｚ、０ｄＢ）で一旦、ＣＷ信号でＡＬＣオンした後、ＡＬＣをオフにし、変調信号を出力させる構成であれば、上記（ｂ）の後半に記載したように、図４及び図５は、そのまま補正値として利用できる。この場合は、レベル周波数高速切替モード時になったときステップＳ２〜Ｓ７を実行するのと同じである。
【００４２】
ステップＳ１８：ユーザがレベル周波数高速切替モードを維持するのであればステップ１６に戻り、再びステップＳ１２で設定された周波数、レベルについて、ステップＳ１６，Ｓ１７を繰り返す。ユーザにより通常モードに切り替えられた場合は、ステップＳ１２へ戻る。
【００４３】
［３：第３の実施形態］関係図：図１，図２，図３（Ｂ）、図５、図６、図９
この実施形態では、通常モードとレベル高速切替モードを有し、レベル高速切替モードでは周波数切り替えは高速にできないがレベル切り替えは、高速で変化させることができる。図１の構成は基本的に第１，及び第２の実施形態と同じである。第３の実施形態では、図３（Ｂ）の（３）（４）に示すようにレベル高速切替モードで周波数が変更されるたびにＣＷ信号におけるＡＬＣオンが行われ、その後のＡＬＣがＨＯＬＤされて、図３（Ｂ）の（５）に示されるように高速のレベル変更が行われる。
【００４４】
図９にその動作フローを示すが、通常モードにおけるステップＳ２２〜Ｓ２５は、第２の実施形態の通常モードである図８のステップＳ１２〜Ｓ１５と同じであり、さらに、図９のステップＳ２６、Ｓ３０は、それぞれ図８のステップＳ１６、Ｓ１８と同じである。図９は、ステップＳ２７，ステップＳ２８で示されるように周波数ｆｓが変更される毎にその周波数のＣＷ信号が出力されＡＬＣオンにされる。これによって、図９のステップＳ２６で設定された周波数ｆｓ、ステップＬｓにおけるｆ特補正、及びステップエラー補正がＡＬＣで実行される。したがってステップエラー補正は、基準値発生部１２に記憶されているステップエラー補正値（例えば、図６）が用いられる。ｆ特補正は、ＡＬＣが動作することにより補正される。
【００４５】
第３の実施形態では、ＡＬＣオフ時のｆ特補正は、ＡＬＣ動作したときの保持手段９が保持する値に含まれているので、補正値記憶手段２は、図４のようなｆ特補正値を有していない。ただし、ＡＬＣオフ時にステップＬｓが変更されるので図５のようなステップエラー補正値は有する。
【００４６】
そして、図９のステップＳ２９において、ＡＬＣオン時と同じ周波数ｆｓの変調信号が出力され、ＡＬＣがオフしてＨＯＬＤされる。この状態でステップＬｓを変更された場合は、ベースバンド信号発生部１のレベル制御部１ｅは次のように動作する。
【００４７】
つまり、図５により周波数ｆｓ、ＡＬＣオン時のステップＬｓにおけるステップエラー補正値と周波数ｆｓ、変更されたステップＬｓにおけるステップエラー補正値との差、を求めて補正値とする。というのは、レベル切り替え時には、  ＡＬＣがオフにされるが、そのときは、周波数ｆｓ、ステップＬｓの条件でＡＬＣ動作しているときのレベル可変手段５を制御していた値を保持しているので、それらを基準として補正する必要があるからである。
【００４８】
［補正の変形例］
図１における補正値記憶手段２を保持手段９に持ってきても良い。そのとき、補正値記憶手段２は図４，及び図５と同様のｆ特補正値とステップエラー補正値を有する。但し、図１では波形データを補正するのに対して、この変形例では、レベル可変手段５の利得（損失）を変更することになり、制御対象が異なるので、各補正値は異なる。そして、図２における乗算器１ｂ、レベル制御部１ｅも保持手段９側へもってきて、保持手段９が保持している値に対して、補正値記憶手段２が保有するｆ補正値、ステップエラー補正値を乗算させてやればよい。その他、タイミング、動作フローは、第１，第２及び第３の実施形態と同じである。
【００４９】
以上の構成によれば、ＡＬＣオフで変調信号の周波数変更（第１及び第２の実施形態）やレベル変更（第１〜第３の実施形態）を急速に行え、かつそのレベルが補正されているので確度のよいレベル変更が可能である。
【図面の簡単な説明】
【００５０】
【図１】本発明の実施形態の機能構成を示す図である。後記する第１の実施形態、第２の実施形態、及び第３の実施形態に対応する。
【図２】図１のベースバンド信号発生部の機能構成を示す図である。
【図３】ＡＬＣの動作タイミングを示す図であり、図３（Ａ）は、第１の実施形態のタイミング、及び第２の実施形態の主にレベル周波数高速切替モードにおけるタイミングを示す図である。図３（Ｂ）は、第３実施形態で主にレベル高速切替モードのタイミングを示す図である。
【図４】補正値記憶手段が記憶する周波数応答特性（ｆ特）を補正する第１の補正値を示す図である。
【図５】補正値記憶手段が記憶する減衰量エラー（ステップエラー）を補正する第２の補正値を示す図である。
【図６】基準値発生部が記憶する減衰量エラー（ステップエラー）を補正する第３の補正値である。
【図７】第１の実施形態の動作フローを説明するための図である。
【図８】第２の実施形態の動作フローを説明するための図である。
【図９】第３の実施形態の動作フローを説明するための図である。
【図１０】従来技術を説明するための図である。
【図１１】従来技術の構成を説明するための図である。
【符号の説明】
【００５１】
１  ベースバンド信号発生部、  ２  補正値記憶手段、  ３  直交変調手段、
４  局部発振器、  ５  レベル可変手段、  ６  増幅手段、  ７  レベル検出手段、
８  比較手段、  ９  保持手段、  １０  スイッチ、  １１  可変ＡＴＴ、
１２  基準値発生部、  １３ａ，１３ｂ  スイッチ、  １４制御部、  １５パネル部、
１６  ベースバンド信号発生部、  １７  制御部、  
１００  ＡＬＣ部、  ２００  信号発生装置、  ３００  移動体端末、  ４００  基地局
【図１】
2008205812.tif 000003
【図２】
2008205812.tif 000004
【図３】
2008205812.tif 000005
【図４】
2008205812.tif 000006
【図５】
2008205812.tif 000007
【図６】
2008205812.tif 000008
【図７】
2008205812.tif 000009
【図８】
2008205812.tif 000010
【図９】
2008205812.tif 000011
【図１０】
2008205812.tif 000012
【図１１】
2008205812.tif 000013